(57)【要約】【課題】高齢者等が引戸を開けて部屋に出入りする際の転倒を防止して安全性を高める。【解決手段】開放した状態の引戸２の正面に設けられる手摺構造１０であって、床面５に固定される少なくとも左右一対の支柱１１ａ，１１ｂと、これら支柱の上端に横架固定される手摺部材１２と、該手摺部材の下方において支柱間の隙間を実質的に閉塞するように該支柱間に固定されるガードパネル１３とから構成される。引戸２を開けたときに引手６と手摺部材とが近接した位置にあるので、部屋の出入りの際に両手で体を安定に支持することができ、転倒の危険を回避する。ガードパネルは歩行の際に手足が引戸と支柱との間に挟みこまれることを防止する。アウトセット引戸の場合に、手摺部材を廊下壁面に固定されている既設の手摺に連結することにより、これらが連続して手摺として機能し、より安全性を高めることができる。【選択図】図２
2015034450.tif 000002
【特許請求の範囲】
【請求項１】
開放した状態の引戸の正面に設けられる手摺構造であって、床面に固定される少なくとも左右一対の支柱と、これら支柱の上端に横架固定される手摺部材と、該手摺部材の下方において前記支柱間の空間を実質的に閉塞するように該支柱間に固定されるガードパネルと、を有してなることを特徴とする手摺構造。
【請求項２】
ガードパネルの下端と床面との間に隙間が設けられることを特徴とする、請求項１記載の手摺構造。
【請求項３】
ガードパネルの上端と手摺部材との間に隙間が設けられることを特徴とする、請求項１または２記載の手摺構造。
【請求項４】
前記引戸が壁面の廊下側に設けられたアウトセット引戸であり、開放した状態の該アウトセット引戸の廊下側に前記手摺部材が設けられ、該手摺部材は、廊下壁面に既設されている壁面固定手摺に手摺接続部材を介して接続され、該手摺接続部材において、手摺部材と壁面固定手摺との中心軸のずれを吸収することを特徴とする、請求項１ないし３のいずれか記載の手摺構造。
【発明の詳細な説明】
【技術分野】
【０００１】
本発明は手摺構造に関し、特に、引戸の正面に設けられる手摺構造に関する。
【背景技術】
【０００２】
高齢者施設や病院などでは、廊下の歩行を補助するために壁面に手摺が設けられ、部屋や病室の引戸手前の壁面まで連続して設置されている。廊下の手摺は、通常、引戸の正面には設置されておらず、引戸正面から部屋や病室に入室するまでの間は、手で体を支持できない状態で歩行することとなり、その間で転倒してけがをするという問題があった。
【０００３】
この問題に対しては、引戸正面に手摺を設置し、廊下から入室するまでの歩行中の転倒防止を行うことも考えられるが、引戸正面の手摺りを握って歩行している際に引戸が開くと、引戸に手が接触して怪我をすることがあった。
【０００４】
このような背景において、特許文献１において、引戸と手摺の間に安全カバーを設けることが提案されるに至った。これによれば、手摺を握った手が引戸に接触することがなく、指詰めや裂傷などの怪我を防止することができる。
【先行技術文献】
【特許文献】
【０００５】
【特許文献１】特開２００７−０３２１１１号公報（図４）
【発明の概要】
【発明が解決しようとする課題】
【０００６】
しかしながら、特許文献１の提案では、引戸正面の手摺を握って歩行している際に、誤って足が手摺の下方および安全カバーの下方に入り込み、開いた引戸に足が接触したり、引戸と枠の間に足が挟まって怪我をするという問題が生じた。また、子供が手摺にぶら下がって遊び、開いた引戸と枠の間に挟まれる可能性もあり、必ずしも十分な安全性が確保されるものではなかった。
【０００７】
したがって、本発明が解決しようとする課題は、廊下から部屋や病室に入室するまでの歩行を連続して補助し、引戸正面から入室するまでの間の転倒を防止することができ、また、歩行中に足が手摺の下方に誤って入り込んでしまうことを防止することができるような構成を備えた、引戸正面に設置する新規な手摺構造を提供することである。
【課題を解決するための手段】
【０００８】
この課題を解決するため、請求項１に係る本発明は、開放した状態の引戸の正面に設けられる手摺構造であって、床面に固定される少なくとも左右一対の支柱と、これら支柱の上端に横架固定される手摺部材と、該手摺部材の下方において前記支柱間の空間を実質的に閉塞するように該支柱間に固定されるガードパネルと、を有してなることを特徴とする。
【０００９】
請求項２に係る本発明は、請求項１記載の手摺構造において、ガードパネルの下端と床面との間に隙間が設けられることを特徴とする。
【００１０】
請求項３に係る本発明は、請求項１または２記載の手摺構造において、ガードパネルの上端と手摺部材との間に隙間が設けられることを特徴とする。
【００１１】
請求項４に係る本発明は、請求項１ないし３のいずれか記載の手摺構造において、前記引戸が壁面の廊下側に設けられたアウトセット引戸であり、開放した状態の該アウトセット引戸の廊下側に前記手摺部材が設けられ、該手摺部材は、廊下壁面に既設されている壁面固定手摺に手摺接続部材を介して接続され、該手摺接続部材において、手摺部材と壁面固定手摺との中心軸のずれを吸収することを特徴とする。
【発明の効果】
【００１２】
本発明による手摺部材は、廊下側において開放状態の引戸正面に手摺部材が設置される場合と、室内側において開放状態の引戸正面に手摺部材が設置される場合とを含み、いずれの場合も、特に高齢者施設の入居者や病院の入院患者などにとって転倒の危険性を解消または少なくとも大幅に低減させ、安全な方向を可能にする効果がある。
【００１３】
廊下側に手摺部材が設置される場合は、室内から室外（廊下）に出ようとして引戸の引手に一方の手を掛けて引戸を開けた後に、すぐに廊下側の手摺部材の開口部側端部近くに他方の手を掛けることができるので、引戸を開く動作から廊下に出るまで、手を引手および手摺部材に掛けて体を連続的に支持しながら歩行することができ、転倒の危険を防止する。
【００１４】
また、廊下を歩行した後に室内に入る際も、廊下側の手摺部材の開口部側端部近くに一方の手を掛けた状態で、他方の手を引戸の引手に手を掛けて開くことができるので、引戸を開く動作から室内に入るまで、手を手摺部材および引手に掛けて体を連続的に支持しながら歩行することができ、転倒の危険を防止する。
【００１５】
室内側に手摺部材が設置される場合は、室内から出ようとするときは一方の手を手摺部材の開口部側端部近くに掛けながら他方の手を引戸の引手に掛けて引戸を開くことができ、また、廊下を歩行した後に室内に入ろうとするときは一方の手を引戸の引手に掛けて引戸を開いて室内に入った直後に手摺部材の開口部側端部近くに他方の手を掛けて体を安定した状態に支持することができるので、安全に出入りを行うことができる。また、ベッドや椅子などを引戸正面の室内側手摺の近傍に配置しておくことで、起き上がったり立ち上がったりした後にすぐに手摺部材に手を掛けることができるので、室内での転倒事故を防止する効果も発揮される。
【００１６】
さらに、手摺部材の下方においてガードパネルが支柱間の空間を実質的に閉塞するように設置されるので、手摺部材に手を添えて廊下または室内を歩行する際に、この空間に足が侵入することを防止する。したがって、引戸を開いたときに、足が引戸に接触したり、引戸と支柱の間に挟まれることを防止することができる。
【００１７】
さらに、請求項２に係る本発明によれば、ガードパネルの下端と床面との間に隙間が設けられるので、手摺部材の下方の床面に溜まったゴミを容易に掃除することができる。また、壁面とガードパネルとの間から物を落としてしまったときも、この隙間から容易に拾い上げることができる。ガードパネル下端と床面との間の隙間は、足が入り込まないような大きさに設定されるので、前述のガードパネルの作用が損なわれることはない。
【００１８】
さらに、請求項３に係る本発明によれば、ガードパネルの上端と手摺部材との間に隙間が設けられるので、ガードパネルに指先が引っ掛かることなく手摺部材を握ることができ、握り損ねて転倒する恐れがない。
【００１９】
さらに、壁面の廊下側に設けられたアウトセット引戸の正面に手摺部材を設置する場合、アウトセット引戸の厚みによって手摺部材が廊下側に突出した状態で設置されることになり、手摺部材と、廊下壁面に既設されている手摺の中心軸が一致しないことになるが、請求項４に係る本発明によれば、手摺部材と壁面固定手摺とが手摺接続部材によって接続され、該手摺接続部材で前記中心軸のずれを吸収することができる。したがって、廊下から部屋の開口部まで、手を壁面固定手摺および手摺部材に掛けながら体を連続的に支持して歩行することができ、部屋に入るまで転倒の恐れがない。室内から廊下に出るときも同様である。
【図面の簡単な説明】
【００２０】
【図１】本発明の一実施形態による手摺構造を引戸を閉じた状態で示す平面図（ａ）および正面図（ｂ）である。
【図２】この手摺構造を引戸を開いた状態で示す平面図（ａ）および正面図（ｂ）である。
【図３】図２（ａ）中Ａ部を示す拡大平面図（ａ）および同部の拡大正面図（ｂ）である。
【図４】本発明の他の実施形態による手摺構造を引戸を開いた状態で示す平面図（ａ）および正面図（ｂ）である。
【図５】本発明のさらに他の実施形態による手摺構造を引戸を開いた状態で示す平面図（ａ）および正面図（ｂ）である。
【図６】手摺接続部材についての他形状例を示す平面図（ａ）〜（ｃ）である。
【図７】本発明による手摺構造の要部を示す正面図である。
【図８】図７中Ｂ−Ｂ切断線による断面図である。
【図９】手摺部材の取付位置を定める際の参考図である。
【図１０】ガードパネルの取付位置を定める際の参考図である。
【図１１】同じくガードパネルの取付位置を定める際の参考図である。
【発明を実施するための形態】
【００２１】
本発明の一実施形態による手摺構造について、以下図１ないし図３を参照して説明する。この手摺構造１０は、居室の出入口として利用される開口部１を開閉するべく水平方向にスライド移動可能に設置される引戸２が開いた状態にあるとき（図２）に、その廊下側正面に設置されるものとして示されている。また、この引戸２は、リフォームなどにより開口部１の廊下側において、廊下壁面３Ａに沿って開閉するように設置された、いわゆるアウトセット引戸であり、上部レール４に吊り車（図示せず）を介して走行可能に上吊りされ、床面５に段差を設けないバリアフリーに対応するものとされている。符号６は、引戸２の開閉操作のために引戸２の閉じ側端近くにおいて居室側および廊下側の表裏両面に取り付けられた引手を示す。
【００２２】
この手摺構造１０は、左右一対の支柱１１ａ，１１ｂと、手摺部材１２と、ガードパネル１３とを有してなる。支柱１１ａ，１１ｂはネジ（図示せず）で床面５に固定される。手摺部材１２は、この実施形態では断面円形（直径３５ｍｍ）の丸棒部材として用いられており、たとえば支柱１１ａ，１１ｂの上端に取り付けた受部材１４の凹部に嵌合してネジ（図示せず）止めすることにより、支柱１１ａ，１１ｂ間に横架固定される。
【００２３】
ガードパネル１３は、上記のように固定された手摺部材１２の下方において、支柱１１ａ，１１ｂ間の空間を実質的に閉塞するように支柱１１ａ，１１ｂ間の外側に、取付金具１５を介して固定される。一例として、ガードパネル１３の大きさは、高さ５９７ｍｍ、厚さ８ｍｍであり、幅は引戸２の大きさ（幅）に応じて、８０１ｍｍ、８５１ｍｍおよび１０２２ｍｍの３種類を用意しておいて、その中から適合する幅寸法のものを選択して用いる。この実施形態で用いられるガードパネル１３は透明アクリル板であり、廊下側からガードパネル１３の内側空間を目視することができるように配慮している。
【００２４】
また、この実施形態では、廊下壁面３Ａに手摺受金具７を介して固定されている既設の壁面固定手摺８の開口部側端部８ａに対し、手摺接続部材１６および端部接続金具１７，１８を介して、手摺部材１２の反開口部側の端部１２ａを接続し、手摺部材１２と壁面固定手摺８とを連続させた構成が採用されている。より具体的には、手摺部材１２の反開口部側端部１２ａおよび壁面固定手摺８の開口部側端部８ａにそれぞれ端部接続金具１７，１８をネジ（図示せず）で固定し、これら端部接続金具１７，１８に手摺接続部材１６の両端を差し込んでネジ（図示せず）で固定することにより、手摺部材１２と壁面固定手摺８とを連続させた構成が得られる。
【００２５】
壁面固定手摺８は、手摺受金具７により廊下壁面３Ａとの間に所定の距離を隔てて設けられているが、手摺部材１２は引戸２の厚み分だけさらに廊下壁面３Ａから離れて設ける必要があるため、壁面固定手摺８の中心軸Ｐ１と手摺部材１２の中心軸Ｐ２とが一致しない（図３（ａ））。手摺接続部材１６は、この軸心のずれを吸収するため、Ｓ字状に屈曲した形状を有している。なお、この実施形態では、床面５からの高さについては、既設の壁面固定手摺８と同じ高さに手摺部材１２が取り付けられており、したがって、正面視では中心軸Ｐ１，Ｐ２が一致している（図３（ｂ））。
【００２６】
この手摺構造１０によれば、引戸２を開けて室内から出ようとするときも、反対に室内に入ろうとするときも、手摺を利用して体をしっかり支持することができるので、高齢者等であっても転倒の危険をなくして安全に出入りすることを可能にする。
【００２７】
すなわち、室外から引戸２の引手６に一方の手を掛けて引戸２を開けると、その廊下側のすぐ近くに手摺部材１２があるので、この手摺部材１２の開口部側端部（端部１２ａ（図３（ａ））の反対側の端部）近くに他方の手を掛けることができる。したがって、引戸を開ける動作から廊下に出るまでの間、手を引手６および手摺部材１２に掛けて体を連続的に支持しながら歩行することができることになり、転倒の危険を防止する。
【００２８】
また、廊下を歩行した後に室内に入る際も、手摺部材１２の開口部側端部１２ｂ近くに一方の手を掛けた状態で、他方の手を引戸２の引手６に手を掛けて開くことができるので、引戸２を開ける動作から室内に入るまでの間、手を手摺部材１２および引手６に掛けて体を連続的に支持しながら歩行することができることになり、転倒の危険を防止する。
【００２９】
さらに、この実施形態では、手摺部材１２が手摺接続部材１６および端部接続金具１７，１８を介して既設の壁面固定手摺８に接続されているので、室内から出て廊下を歩行する際や、廊下を歩行して室内に入る際に、常に手摺に手を添えて安全に歩行することができるようになっている。
【００３０】
したがって、この手摺構造１０を、特に高齢者施設や病院などに設置すれば、高齢者施設の入居者や病院の入院患者などにとって転倒の危険性を解消または少なくとも大幅に低減させ、高齢者等であっても安全に歩行することができる効果が得られる。
【００３１】
なお、この実施形態で用いる手摺接続部材１６は、既設の壁面固定手摺８の中心軸Ｐ１と手摺部材１２の中心軸Ｐ２のずれを吸収することができるものであれば良く、図１〜図３に示す形状（図６（ａ））の他、図６（ｂ），（ｃ）に示すような形状を有するものであっても良い。
【００３２】
図４に示す実施形態は、図１〜図３に示す既述実施形態の変形例であり、手摺部材１２が既設の壁面固定手摺８に連結されず、その反開口部側端部１２ａが端部固定部材１９を介して廊下壁面３Ａに固定されている点で異なっている。このような構成も、本発明の範囲内である。他の点については、図１〜図３に示す既述実施形態と同様であるので、同一の部材・部分・要素には同一の符号を付してそれらの説明を割愛する。また、作用効果についても、手摺部材１２が壁面固定手摺８と連続することによる作用効果を除いて、図１〜図３に示す既述実施形態による作用効果と同様であるので、それらの説明を割愛する。
【００３３】
図５は、開口部１に開閉自在に設置されている引戸２（アウトセット引戸ではない）の室内側に手摺構造１０を設置した場合の実施形態を示す。手摺構造１０自体の構成は、図１〜図３に示す既述実施形態と略同様であるので、手摺構造１０に関連する部材・部分・要素には同一の符号を付してそれらの説明を割愛する。この実施形態の場合、開口部１の近くまで壁面固定手摺８が取り付けられているが、室内側に設置される手摺部材１２とは連結させることができないので、手摺部材１２の反開口部側端部１２ａは、端部固定部材１９（図４に示す実施形態で用いた端部固定部材１９と同様のものであって良い）を介して室内壁面３Ｂに固定されている。
【００３４】
なお、図５において、符号９ａは上枠、符号９ｂ，９ｃは左右の縦枠を示し、これらにより形成される三方枠９内を引戸２が左右方向にスライド移動可能に設けられている。床面５には下枠が固定されていないので、室内外をフラットな床面５で連続させることができ、バリアフリーに対応している。
【００３５】
このように室内側に手摺構造１０が設置された実施形態においても、引戸２を開けて室内から出ようとするときも、反対に室内に入ろうとするときも、手摺を利用して体をしっかり支持することができるので、高齢者等であっても転倒の危険をなくして安全に出入りすることを可能にする。
【００３６】
すなわち、室内から出ようとするときは、一方の手を手摺部材１２の開口部側端部近くに掛けながら他方の手を引戸２の引手６に掛けて引戸２を開くことができ、引戸２を完全に開けた状態で室外に出れば、すぐ近くに壁面固定手摺８が存在するので、引手６に掛けた手を壁面固定手摺８に掛け換えて安全に廊下を歩行することができる。
【００３７】
また、室内に入ろうとするときは、壁面固定手摺８を伝って廊下を歩行して開口部１近くまで到達すれば、一方の手を引戸２の引手６に掛けて容易に引戸を開けることができ、このようにして引戸２を完全に開けた状態で室内に入れば、すぐ近くに手摺部材１２が存在するので、引手６に掛けた手を手摺部材１２に掛け換えて安全に室内を歩行することができる。
【００３８】
次に、図７および図８を参照して、本発明の手摺構造１０における各部材の寸法や配置関係について説明する。なお、図７および図８は、図１〜図３に示す既述実施形態を対象とし、下記では該実施形態における各部材の寸法や配置関係を説明するが、他の実施形態においても実質的に同様の寸法や配置関係を採用することができる。
【００３９】
まず、手摺部材１２は、床面５から手摺部材１２の上面までの距離が８００ｍｍとなる高さ位置に取り付けられる。これは、手摺は、通常、骨格の大腿骨大転子に合わせて７５０〜８００ｍｍ程度の高さに設置されることに対応させたものである。
【００４０】
また、前後方向の位置については、手摺部材１２は、引戸２が開いた状態で、引戸２表面から手摺部材１２の裏側面までの距離ａが５２．５ｍｍとなる位置に取り付けられる。この距離ａは、高齢者が手摺を握る状況を想定し、６５歳以上の男女の「親指と中指の先端が触れる状態で円を作ったときの手の甲の厚みＸ」（図９）の９７．５パーセンタイル値＝４２ｍｍに１０．５ｍｍを加えて安全側に配慮して設定したものである。この設定であれば、手摺部材１２を握った状態で手Ｈの甲と引戸２表面との間に十分な距離が残されるので、手Ｈの甲が引戸２に接触したり挟まれたりすることがない（図８参照）。この観点から、一般に、引戸２表面から手摺部材１２裏側面までの距離ａは、４０〜１００ｍｍが好ましく、４５〜６５ｍｍがより好ましい。４０ｍｍ未満では手摺部材１２を握った状態で手の甲が引戸２表面に接触して怪我をする恐れがある。１００ｍｍより大きいと手摺部材１２が廊下側に突出して位置することになるので、歩行の妨げになる。
【００４１】
なお、「パーセンタイル値」とは、計測値の統計的分布の中で小さい方から数えて何％目の値がどれくらいであるかを示す統計的表示法であり、「５０パーセンタイル」は中央値であり、この値より小さいものと大きいものが半数ずついることを示す。上記において「９７．５パーセンタイル値＝４２ｍｍ」とは、たとえば１０００人分の「親指と中指の先端が触れる状態で円を作ったときの手の甲の厚み」のデータの中の９７５番目に大きなデータが４２ｍｍであることを意味している。すなわち、４２ｍｍ以内に（９７５／１０００）人分のデータが含まれている。
【００４２】
次に、ガードパネル１３の支柱１１ａ，１１ｂへの取付高さについては、手摺部材１２下面からガードパネル１３上端までの距離ｂが１３０ｍｍであり、且つ、ガードパネル１３下端から床面５までの距離ｃが３８ｍｍとなる高さ位置において、ガードパネル１３を支柱１１ａ，１１ｂに固定する。また、その引戸２表面に対する前後方向の位置は、ガードパネル１３の廊下側表面から引戸２表面までの距離ｄが１０９．５ｍｍとなる位置に取り付けられる。
【００４３】
手摺部材１２下面からガードパネル１３上端までの距離ｂ＝１３０ｍｍは、高齢者が手摺を握る状況を想定し、６５歳以上の男女の「指股から中指先端までの距離Ｙ」（図１０）の９８パーセンタイル値＝１３０ｍｍから設定したものである。このような高さ位置にガードパネル１３を取り付ければ、手摺部材１２に指股（親指と人差指の間）を当て、指をめいっぱい伸ばした状態でも、中指の先端がガードパネル１３に引っ掛からずに手摺部材１２を握ることができる。この観点から、手摺部材１２下面からガードパネル１３上端までの距離は、９５〜１５０ｍｍが好ましく、１１０〜１４０ｍｍがより好ましい。９５ｍｍ未満では、手摺部材１２を握る際、指の先端が引っ掛かりやすくなり、手摺部材１２を握り損ねて転倒する恐れがある。１５０ｍｍより大きいと子供の頭が入りやすくなり、頭が入った状態で引戸２が開くと支柱１１ｂと引戸２との間に挟まれて大怪我の原因となる。
【００４４】
また、ガードパネル１３下端から床面５までの距離ｃ＝３８ｍｍ、および、ガードパネル１３の廊下側表面から引戸２表面までの距離ｄ＝１０９．５ｍｍを定めるに際しては、高齢者または子供が廊下を歩行中にガードパネル１３と床面５の間につま先が誤って入り込まないように考慮した。ここで、廊下を歩行する際には通常は靴やスリッパを履いているが、より安全を期すために裸足の状態で検討した。６５歳以上の男女の足Ｆａの甲の厚さ「第一中足指節関節の位置における床面から足表面までの高さＺ１」（図１１）の９７．５パーセンタイル値＝３８ｍｍであり、隙間に入ってしまう足先端部の長さＺ２（図１１）＝６６ｍｍである。また、５歳児の足寸法の９７．５パーセンタイル値に基づいて、５歳児の足Ｆｃの厚さ３８ｍｍの位置から足先端までの足先端部の長さを計算すると８４ｍｍである。これらの寸法から、ガードパネル１３下端から床面５までの距離ｃ＝３８ｍｍとし、ガードパネル１３表面から引戸２表面までの距離ｄについては上記８４ｍｍに２５.５ｍｍ加えて安全側に配慮してｄ＝１０９．５ｍｍとした。この設定であれば、高齢者の足Ｆａであれ子供の足Ｆｃであれ、その先端部がガードパネル１３と床面５の間の隙間に入ったとしても、引戸２に接触することがない。
【００４５】
上述の観点から、一般に、ガードパネル１３下端から床面５までの距離は、１０〜６０ｍｍが好ましく、２０〜４０ｍｍがより好ましい。１０ｍｍ未満であるとガードパネルと引戸表面の間の床面にゴミがたまると、掃除機の先端またはモップなどが隙間に入らないので掃除が行いにくくなり不衛生になる。６０ｍｍより大きくなると、スリッパや靴を履いていても隙間に足先端部が入りやすくなり、引戸と接触して怪我をする恐れがある。
【００４６】
図４に示す実施形態のように手摺部材１２を壁面固定手摺８に連結せずに、端部固定部材１９で壁面３Ａ（または３Ｂ）に固定する場合、端部固定部材１９の側面から壁面固定手摺８の開口側端部８ａ（図３（ａ）参照）までの距離は、３０〜１３０ｍｍとするのが好ましく、５０〜１００ｍｍがより好ましい。３０ｍｍ未満であると、端部固定部材１９の側面と壁面固定手摺８の端部８ａとの間に誤って指を挟んでしまい、抜くときに怪我をする恐れがある。一方、この隙間が１３０ｍｍより大きくなると、手摺部材１２から壁面固定手摺８へ、または壁面固定手摺８から手摺部材１２へと手摺を持ち替える動作が必要となり、体を手で連続的に支持しない時間が生じてしまうので、転倒する恐れが大きくなる。
【００４７】
なお、上記において、人の寸法データ（日本人のデータ）については、独立行政法人産業技術総合研究所のデータを使用した。
【００４８】
以上に本発明を幾つかの実施形態に基づいて説明したが、本発明はこれら図示実施形態に限定されるものではなく、特許請求の範囲に規定される発明の範囲内において様々に変形・変更して実施可能である。
【００４９】
たとえば、図示実施形態において、ガードパネル１３は、支柱１１ａ，１１ｂの外側面（図１〜図３に示す実施形態および図４に示す実施形態では廊下側の面、図５に示す実施形態では室内側の面）に固定して取り付けられているが、この取付形態に限定されるものではなく、これに代えて、支柱１１ａ，１１ｂの引戸側の面に固定して取り付けても良く、あるいは、支柱１１ａ，１１ｂの内側対向面に固定して取り付けても良い。
【符号の説明】
【００５０】
１  開口部
２  引戸
３Ａ  廊下側壁面
３Ｂ  室内側壁面
４  上部レール
５  壁面
６  引手
７  手摺受金具
８  壁面固定手摺
８ａ  開口部側端部
９  三方枠
９ａ  上枠
９ｂ，９ｃ  縦枠
１０  手摺構造
１１ａ，１１ｂ  支柱
１２  手摺部材
１２ａ  反開口部側端部
１３  ガードパネル
１４  受部材
１５  取付金具
１６  手摺接続部材
１７  端部接続金具
１８  端部接続金具
１９  端部固定部材
【図１】
2015034450.tif 000003
【図２】
2015034450.tif 000004
【図３】
2015034450.tif 000005
【図４】
2015034450.tif 000006
【図５】
2015034450.tif 000007
【図６】
2015034450.tif 000008
【図７】
2015034450.tif 000009
【図８】
2015034450.tif 000010
【図９】
2015034450.tif 000011
【図１０】
2015034450.tif 000012
【図１１】
2015034450.tif 000013